(57)【特許請求の範囲】
【請求項１】
不透液性基材シートに吸液性コアが取り付けられたパネル本体と、前記本体の上方に位置するシート部材とから構成され、前記本体が、縦方向に前胴周り域と、後胴周り域と、それら胴周り域の間に位置する股下域とを有し、前記コアの両側縁の外側を前記縦方向へ延びる一対の第１側部フラップと、前記コアの両端縁の外側を横方向へ延びる一対の端部フラップとを備え、前記シート部材が、前記本体から上方へ起立性向を有して前記コアの両側縁近傍を前記縦方向へ延びる一対の側壁部と、前記本体から上方への離間性向を有して前記側壁部各々の頂縁間を前記基材シートと並行して延びる頂壁部とを備え、
前記側壁部が、前記コアの両側縁近傍において前記本体に固着された側縁部と、前記端部フラップに固着された第１端縁部とを有し、前記頂壁部が、前記側壁部どうしの間に形成された少なくとも１つの開口部と、前記端部フラップに固着された第２端縁部とを有し、前記本体と前記シート部材との間に前記開口部につながる排泄物を受容可能な空洞が画成された使い捨ておむつにおいて、
前記頂壁部が、前記側壁部の頂縁外側において前記第１側部フラップと並行して前記縦方向へ延びる一対の第２側部フラップを有し、前記第１側部フラップと前記第２側部フラップとの前記縦方向へ延びる側縁部は、前記前後胴周り域で重なり合って互いに固着される一方、前記股下域では互いに固着されていないことを特徴とする前記おむつ。
【請求項２】
前記シート部材の少なくとも前記頂壁部が、前記縦方向と前記横方向とのうちの少なくとも前記縦方向へ弾性伸縮性を有し、前記頂壁部が、前記縦方向へ伸長された状態で前記本体に固着されることにより、前記基材シートに対する前記側壁の起立性向と前記基材シートに対する前記頂壁の離間性向とが付与されている請求項１記載の使い捨ておむつ。
【請求項３】
前記第１側部フラップと前記第２側部フラップとが、前記股下域において前記横方向内方へ向かって弧を画き、前記股下域における前記頂壁部の前記横方向の寸法が、前記本体のそれよりも小さい請求項１または請求項２に記載の使い捨ておむつ。
【発明の詳細な説明】
【０００１】
【発明の属する技術分野】
本発明は、排泄物を吸収、保持する使い捨ておむつに関する。
【０００２】
【従来の技術】
特開平１１−１１３９５８号公報は、透液性表面シートおよび不透液性裏面シートの間に吸液性コアが介在するパネル本体と、表面シートの上方に位置するシート部材とから構成された使い捨ておむつを開示している。本体は、縦方向に前胴周り域と、後胴周り域と、それら胴周り域の間に位置する股下域とを有し、コアの両側縁の外側を縦方向へ延びる一対の側部フラップと、コアの両端縁の外側を横方向へ延びる一対の端部フラップとを有する。シート部材は、コアの両側縁近傍を縦方向へ延びる一対の側壁と、側壁各々の頂縁間を表裏面シートと並行して延びる頂壁とを有する。
【０００３】
側壁各々は、その側縁部が本体におけるコアの両側縁近傍に固着され、その端縁部が本体の端部フラップに固着されている。頂壁は、股下域の中央部に開口部を有し、その端縁部が本体の端部フラップに固着されている。このおむつでは、側壁各々が本体から上方へ起立可能、かつ、頂壁が本体から上方へ離間可能であり、頂壁が本体から離間したときに、本体とシート部材との間に排泄物を受容可能な空洞が画成される。
【０００４】
シート部材の頂壁は、本体の側部フラップ上に存在せず、横方向の寸法が本体のそれよりも小さい矩形のものである。本体の端部フラップを除く残余の部位では、シート部材における側壁の側縁部だけが本体に固着されているので、シート部材が本体に拘束されることはなく、自由に動くことができる。
【０００５】
【発明が解決しようとする課題】
同号公報に開示のおむつは、それを着用したときに、おむつの前後胴周り域において、上記頂壁が着用者の腹部と臀部とにわずかな面積で接するにずぎず、シート部材が本体とは別に動くことができるので、前後胴周り域においてシート部材だけが特に横方向へ動いてしまうことがある。シート部材が横方向へ動くと、それによって頂壁に形成された開口部の位置が着用者の必尿器や肛門の周囲からずれてしまい、排泄物を空洞内に受容することができないことがある。
【０００６】
本発明の課題は、シート部材の頂壁が着用者の腹部と臀部とに広範囲に密着し、前後胴周り域においてシート部材が横方向へ動き難く、排泄物を空洞内に確実に受容することができる使い捨ておむつを提供することにある。
【０００７】
【課題を解決するための手段】
前記課題を解決するために、本発明が前提とするところは、不透液性基材シートに吸液性コアが取り付けられたパネル本体と、前記本体の上方に位置するシート部材とから構成され、前記本体が、縦方向に前胴周り域と、後胴周り域と、それら胴周り域の間に位置する股下域とを有し、前記コアの両側縁の外側を前記縦方向へ延びる一対の第１側部フラップと、前記コアの両端縁の外側を横方向へ延びる一対の端部フラップとを備え、前記シート部材が、前記本体から上方へ起立性向を有して前記コアの両側縁近傍を前記縦方向へ延びる一対の側壁部と、前記本体から上方への離間性向を有して前記側壁部各々の頂縁間を前記基材シートと並行して延びる頂壁部とを備え、前記側壁部が、前記コアの両側縁近傍において前記本体に固着された側縁部と、前記端部フラップに固着された第１端縁部とを有し、前記頂壁部が、前記側壁部どうしの間に形成された少なくとも１つの開口部と、前記端部フラップに固着された第２端縁部とを有し、前記本体と前記シート部材との間に前記開口部につながる排泄物を受容可能な空洞が画成された使い捨ておむつである。
【０００８】
かかる前提において、本発明の特徴は、前記頂壁部が、前記側壁部の頂縁外側において前記第１側部フラップと並行して前記縦方向へ延びる一対の第２側部フラップを有し、前記第１側部フラップと前記第２側部フラップとの前記縦方向へ延びる側縁部は、前記前後胴周り域で重なり合って互いに固着される一方、前記股下域では互いに固着されていないこと、にある。
【０００９】
本発明の実施の態様の一例としては、前記シート部材の少なくとも前記頂壁部が、前記縦方向と前記横方向とのうちの少なくとも前記縦方向へ弾性伸縮性を有し、前記頂壁部が、前記縦方向へ伸長された状態で前記本体に固着されることにより、前記基材シートに対する前記側壁の起立性向と前記基材シートに対する前記頂壁の離間性向とが付与されている。
【００１０】
本発明の実施の態様の他の一例としては、前記第１側部フラップと前記第２側部フラップとが、前記股下域において前記横方向内方へ向かって弧を画き、前記股下域における前記頂壁部の前記横方向の寸法が、前記本体のそれよりも小さい。
【００１１】
【発明の実施の形態】
添付の図面を参照し、本発明にかかる使い捨ておむつの詳細を説明すると、以下のとおりである。
【００１２】
図１，２は、一部を破断して示す使い捨ておむつ１の斜視図と、パネル本体２とシート部材９とを分離して示すおむつ１の分解斜視図とである。なお、本実施の形態では、図１，２に示すように、矢印Ｘ方向を縦方向とし、矢印Ｙ方向を横方向とする。
【００１３】
おむつ１は、パネル本体２と、本体２の上方に位置するシート部材９とから構成されている。本体２は、透液性表面シート３と、不透液性裏面シート４と、それらシート３，４の間に介在し、全体が透水性のティッシュペーパー（図示せず）に被覆、接合された吸液性コア５とを主要な構成部材とする。表面シート３と裏面シート４とは、縦方向と横方向とヘ弾性伸縮性を有する。コア５は、ティッシュペーパーを介して表面シート３と裏面シート４との少なくとも一方の内面に間欠的に接合されている。
【００１４】
本体２では、表面シート３が必須の構成部材ではなく、本体２が、不透液性裏面シート４と、裏面シート４の内面に取り付けられた吸液性コア５とから形成されていてもよい。なお、裏面シート４は、特許請求の範囲と課題を解決するための手段とにおける基材シートに相当する。
【００１５】
本体２は、縦方向に前胴周り域２０と、後胴周り域２２と、前後胴周り域２０，２２の間に位置する股下域２１とを有する。本体２は、コア５の両側縁５ａの外側を互いに並行して縦方向へ延びる一対の第１側部フラップ６と、第１側部フラップ６各々の間に位置し、コア５の両端縁５ｂの外側を互いに並行して横方向へ延びる一対の端部フラップ７とを有する。本体２では、第１側部フラップ６が股下域２１において横方向内方へ向かって弧を画いており、その平面形状が砂時計型を呈する。本体２は、後胴周り域２２における横方向の寸法Ｌ１が前胴周り域２０における横方向の寸法Ｌ２よりも大きい。
【００１６】
第１側部フラップ６は、コア５の両側縁５ａから横方向外方へ延びる表面シート３と裏面シート４とから形成されている。第１側部フラップ６には、縦方向へ延びる弾性伸縮性部材８が伸長状態で取り付けられている。端部フラップ７は、コア５の両端縁５ｂから縦方向外方へ延びる表面シート３と裏面シート４とから形成されている。第１側部フラップ６と端部フラップ７とでは、重なり合う表面シート３と裏面シート４とが非伸長状態で間欠的に固着されている。
【００１７】
シート部材９は、コア５の両側縁５ａ近傍を縦方向へ延びる一対の側壁１０と、側壁１０各々の上方に位置し、表裏面シート３，４と並行して延びる頂壁１１とから形成されている。側壁１０と頂壁１１とは、それぞれ別体のシートからなり、以後の説明では、側壁１０を側壁シート１０といい、頂壁１１を頂壁シート１１という。
【００１８】
側壁シート１０は、第１側部フラップ６に重なる第１側縁部１０ａと、端部フラップ７に重なる端縁部１０ｂと、側縁部１０ａの上方を縦方向へ延びる頂縁部１０ｃとを有する。側壁シート１０は、縦方向と横方向とヘ弾性伸縮性を有する。
【００１９】
頂壁シート１１は、側壁シート１０各々の頂縁部１０ｃの外側に位置しており、第１側部フラップ６と並行して縦方向へ延びる第２側部フラップ１２と、側壁シート１０各々の頂縁部１０ｃ間に形成された縦方向へ長い開口部１３と、端部フラップ７に重なる第２端縁部１１ｂとを有する。頂壁シート１１は、縦方向と横方向とヘ弾性伸縮性を有する。頂壁シート１１では、第２側部フラップ１２が股下域２１において横方向内方へ向かって弧を画いており、その平面形状が砂時計型を呈する。
【００２０】
頂壁シート１１は、後胴周り域２２における横方向の寸法Ｌ４が前胴周り域２０における横方向の寸法Ｌ５よりも大きく、股下域２１における横方向の寸法Ｌ６が本体２の股下域２１における横方向の寸法Ｌ３よりも小さい。
【００２１】
頂壁シート１１は、側壁シート１０の頂縁部１０ｃに固着されている。側壁シート１０と頂壁シート１１との固着時では、それらシート１０，１１が非伸長状態にある。第２側部フラップ１２には、後胴周り域２２の側に矩形のフック部材１４が取り付けられている。
【００２２】
図３，４は、図１のＡ−Ａ線切断面図と、図１のＢ−Ｂ線切断面図とであり、図５は、図１のＣ−Ｃ線切断面図である。
【００２３】
第１側部フラップ６では、コア５の両側縁５ａから横方向外方へ表面シート３がわずかに延び、表面シート３からさらに横方向外方へ裏面シート４が延びている。
【００２４】
側壁シート１０は、側縁部１０ａが第１側部フラップ６における本体２の表面シート３と裏面シート４とに固着され、端縁部１０ｂが端部フラップ７における本体２の表面シート３に固着されている。頂壁シート１１は、端縁部１１ｂが端部フラップ７における本体２の表面シート３に固着されている。第１側部フラップ６と第２側部フラップ１２とは、前後胴周り域２０，２２の側で重なり合うそれらフラップ６，１２の縦方向へ延びる両側縁部６ａ，１２ａと、端部フラップ７の側で重なり合うそれらフラップ６，１２の横方向へ延びる両端縁部６ｂ，１２ｂとにおいて固着されている。
【００２５】
本体２に側壁シート１０と頂壁シート１１とを固着するときでは、本体２の表裏面シート３，４が非伸長状態にあり、側壁シート１０と頂壁シート１１とが縦方向へ伸長された状態にある。
【００２６】
おむつ１では、側部シート１０と頂壁シート１１とが縦方向へ収縮し、本体２が表面シート３を内側にして縦方向へ湾曲している。おむつ１では、側部シート１０が本体２から上方へ起立し、頂壁シート１１が本体２から上方へ離間している。おむつ１には、表面シート３と側壁シート１０と頂壁シート１１とに囲繞された空洞１５が画成されている。
【００２７】
図６は、着用状態にあるおむつ１の部分破断斜視図であり、着用者を仮想線で示す。おむつ１を着用するときは、後胴周り域２２の側の第２側部フラップ１２が前胴周り域２０の側の第１側部フラップ６の外側になるように、フラップ６，１２各々を重ね合わせ、本体２の前胴周り域２０に取り付けられたループ部材１６にフック部材１４を止着して、前後胴周り域２０，２２を連結する。図６では、おむつ１に胴周り開口１７と一対の脚周り開口１８とが形成されている。排泄物は、頂壁シート１１の開口部１３を通過して空洞１５に受容される。
【００２８】
おむつ１では、それを着用するときに、側壁シート１０と頂壁シート１１とが縦方向へ伸長される。股下域２１では、第２側部フラップ１２を含む本体２よりも幅狭い頂壁シート１１が着用者の鼠径部に密着するとともに、本体２の第１側部フラップ６が着用者の大腿部の内側に密着する。前後胴周り域２０，２２では、本体２の第１側部フラップ６が着用者の腹部と臀部とを被覆し、第２側部フラップ１２を含む頂壁シート１１が着用者の腹部と臀部とに広範囲に密着する。
【００２９】
前後胴周り域２０，２２では、側壁シート１０の端縁部１０ｂと頂壁シート１１の端縁部１１ｂとが本体２に固着され、第１側部フラップ６と第２側部フラップ１２との両側縁部６ａ，１２ａと両縁端部６ｂ，１２ｂとが固着されている。ゆえに、前後胴周り域２０，２２では、シート部材９の特に横方向の動きが本体２によって拘束され、本体２とは別にシート部材９だけが動いてしまうことを防ぐことができる。
【００３０】
股下域２１では、シート部材９のうち、側壁シート１０の側縁部１０ａだけが本体２に固着されているので、前後胴周り域２０，２２と比較して、シート部材９の動きが本体２に拘束され難い。ゆえに、着用者の動きがおむつ１に伝わり易い股下域２１では、着用者の動作によって本体２が動いたとしても、シート部材９が本体２の動きに追従することはなく、第２側部フラップ１２を含む頂壁シート１１の着用者に対する密着状態が維持される。
【００３１】
おむつ１では、本体２の表面シート３と裏面シート４とが非伸縮性のものであってもよく、頂壁シート１１には、側壁シート１０の頂縁部１０ｃの間に、２つの開口部が形成されていてもよい。
【００３２】
図示例のおむつ１では、第１側部フラップ６と第２側部フラップ１２とがそれらフラップ６，１２の両側縁部６ａ，１２ａと両端縁部６ｂ，１２ｂとで固着されているが、それらフラップ６，１２が両側縁部６ａ，１２ａで固着されていればよい。
【００３３】
表面シート３には、不織布や開孔プラスチックフィルム等の透液性のシート、好ましくは、透液性であって親水性のシートを使用することができる。裏面シート４とシート部材９とには、疎水性不織布や不透液性のプラスチックフィルム、または、疎水性不織布とプラスチックフィルムとのラミネートシート、好ましくは、通気不透液性のシートを使用することができる。また、裏面シート４には、高い耐水性を有するメルトブローン不織布を、高い強度を有しかつ柔軟性に富んだスパンボンド不織布で挟んだ複合不織布（ＳＭＳ不織布）を使用することもできる。
【００３４】
不織布としては、スパンレース、ニードルパンチ、メルトブローン、サーマルボンド、スパンポンド、ケミカルボンド、エアースルー等により製造された不織布を使用することができる。不織布の構成繊維としては、ポリオレフィン系、ポリエステル系、ポリアミド系の各繊維、ポリエチレン／ポリプロピレンやポリエチレン／ポリエステル等で形成された芯鞘型複合繊維、サイドバイサイド型複合繊維を使用することができる。
【００３５】
コア５は、フラッフパルプと高吸収性ポリマー粒子と熱可塑性合成樹脂繊維との混合物であり、所要の厚みに圧縮されている。高吸収性ポリマーとしては、デンプン系、セルロース系、合成ポリマー系のものを使用することができる。デンプン系とセルロース系としては、グラフト重合系、カルボキシメチル化系を使用することができ、合成ポリマー系としては、アクリル系、ポバール系、アクリルアミド系、ポリオキシエチレン系を使用することができる。
【００３６】
表裏面シート３，４の固着やシート部材９の固着、コア５の接合、弾性部材８の取り付けには、ホットメルト接着剤等の接着剤の他に、熱溶着手段を利用することもできる。
【００３７】
【発明の効果】
本発明に係る使い捨ておむつによれば、前後胴周り域におけるシート部材の動きがパネル本体に拘束されるので、前後胴周り域では、本体が着用者に確実に装着されている状態にあれば、本体とは別にシート部材だけが横方向へ動いてしまうことはなく、シート部材が動くことによる開口部の位置ずれを防ぐことができる。
【００３８】
股下域では、前後胴周り域と比較して、シート部材の動きが本体に拘束され難く、着用者の動きがおむつに伝わり易い股下域において本体が動いたとしても、シート部材が本体の動きに追従することはなく、第２側部フラップを含む頂壁の着用者の鼠径部に対する密着状態を維持することができる。
【図面の簡単な説明】
【図１】  一部を破断して示す使い捨ておむつの斜視図。
【図２】  おむつ本体と液抵抗性シート部材とを分離して示すおむつの分解斜視図。
【図３】  図１のＡ−Ａ線切断面図。
【図４】  図１のＢ−Ｂ線切断面図。
【図５】  図１のＣ−Ｃ線切断面図。
【図６】  着用状態にあるおむつの部分破断斜視図。
【符号の説明】
１            使い捨ておむつ
２            パネル本体
３            透液性表面シート
４            不透液性裏面シート（不透液性基材シート）
５            吸液性コア
５ａ          両側縁
５ｂ          両端縁
６            第１側部フラップ
７            端部フラップ
９            シート部材
１０            側壁部（側壁シート）
１０ａ          側縁部
１０ｂ          端縁部（第１端縁部）
１０ｃ          頂縁部
１１            頂壁部（頂壁シート）
１１ｂ          端縁部（第２端縁部）
１２            第２側部フラップ
１２ａ          横方向両側縁部
１３            開口部
１５            空洞
２０            前胴周り域
２１            股下域
２２            後胴周り域
Ｌ３            寸法
Ｌ６            寸法
【図１】
0003734691.tif 000002
【図２】
0003734691.tif 000003
【図３】
0003734691.tif 000004
【図４】
0003734691.tif 000005
【図５】
0003734691.tif 000006
【図６】
0003734691.tif 000007